(57)【要約】 【課題】ヒータ制御部による定着ヒータの位相角点灯制御に拘らず電源部への入力電流の増大を容易に抑制できる画像形成装置を提供する。【解決手段】交流電源１から電力供給を受け、定着ヒータ３のオンオフ制御を行うヒータ制御部４及びヒータ３を除く１又は２以上の部分へ所定電力を供給する電源部５とを備えており、制御部４は、ヒータ３のオン制御を位相角制御で行い、電源部５はアクティブフィルタ回路５１を含んでおり、フィルタ回路５１は、ヒータ位相制御角に基づいて電源部５への入力電流についての力率を、電源部５への入力電流を抑制する方向に補正する回路である画像形成装置Ａ。【選択図】図２
2008299078.tif 000002
【特許請求の範囲】
【請求項１】
トナー像を形成して記録媒体に転写し、該記録媒体を定着ヒータにて加熱される定着回転体と該定着回転体に対向する加圧回転体との間に通過させることで該トナー像を該記録媒体に加熱加圧下に定着させることができる画像形成装置であり、
交流電源から電力供給を受け、前記定着ヒータのオンオフ制御により前記定着回転体の温度を前記トナー像定着に適する温度へ向け温度調整するヒータ制御部と、
前記交流電源から電力供給を受け、前記定着ヒータを除く電力供給対象部分の１又は２以上へ所定電力を供給するための電源部とを備えており、
前記ヒータ制御部は、前記定着ヒータのオン制御を位相角制御で行う制御部であり、
前記電源部はアクティブフィルタ回路を含んでおり、
前記アクティブフィルタ回路は、前記ヒータ制御部による前記定着ヒータの位相制御角に基づいて該電源部への入力電流についての力率を、該電源部への入力電流を抑制する方向に補正する回路であることを特徴とする画像形成装置。
【請求項２】
前記アクティブフィルタ回路は、前記ヒータ制御部による前記定着ヒータの位相制御角に基づいて前記電源部への入力電流についての力率を、該定着ヒータへの入力電流と該電源部への入力電流との合成入力電流についての力率が１となるように補正する回路である請求項１記載の画像形成装置。
【請求項３】
前記アクティブフィルタ回路は、前記ヒータ制御部による前記定着ヒータの位相制御角を前記電源部への入力電圧と該電源部からの出力電圧とに基づいて把握し、該電源部への入力電圧と該電源部からの出力電圧とに基づいて該電源部への入力電流についての力率を、該電源部への入力電流を抑制する方向に補正する請求項１又は２記載の画像形成装置。
【請求項４】
前記アクティブフィルタ回路は、前記ヒータ制御部による前記定着ヒータの位相制御角を前記電源部への入力電圧と入力電流とに基づいて把握し、該電源部への入力電圧と入力電流とに基づいて該電源部への入力電流についての力率を、該電源部への入力電流を抑制する方向に補正する請求項１、２又は３記載の画像形成装置。
【発明の詳細な説明】
【技術分野】
【０００１】
本発明は、複写機、プリンタ、ファクシミリ機、これらのうち２以上を組み合わせた複合機等の画像形成装置、特に、トナー像を形成して記録媒体に転写し、該記録媒体を定着ヒータにて加熱される定着回転体と該定着回転体に対向する加圧回転体との間に通過させることで該トナー像を該記録媒体に加熱加圧下に定着させることができる画像形成装置に関する。
【背景技術】
【０００２】
近年、電子化が進むにつれて各種オフィスでＯＡ機器が増加し、それに伴い一つの電源コンセントにＯＡ機器や部屋の照明器具など複数の機器を接続する状態が増加しつつある。
【０００３】
また、複写機、プリンタ、ファクシミリ機、これらのうち２以上を組み合わせた複合機等の画像形成装置であって、トナー像を形成して記録媒体に転写し、該記録媒体を定着ヒータにて加熱される定着回転体と該定着回転体に対向する加圧回転体との間に通過させることで該トナー像を該記録媒体に加熱加圧下に定着させることができる画像形成装置においては、定着回転体のウォームアップ時間短縮が要求され、そのため定着ヒーターの定格電力を大きくすることが一般的に行われている。
【０００４】
しかし、一つの交流電源（例えば一つの交流電源コンセント）にＯＡ機器や部屋の照明器具など複数の機器を接続する状態の増加と、定着ヒータの定格電力の増加によって、定着ヒータ点灯時に交流電源において急激な電流変化、これによる急激な電圧降下が生じ、また定着ヒータ消灯時に交流電源において急激な電流変化、これによる急激な電圧上昇が生じ、このような電圧の変動により同一交流電源に接続されている他の機器の誤動作が生じたり、照明器具（例えば蛍光灯）が接続されている場合には該照明器具の点灯不良（例えば蛍光灯のチラツキ現象）が増加してきている。
【０００５】
一方、定着回転体温度をトナー像定着に適する温度へ向け制御するための通常の温度調整制御では、定着ヒータ電力はそれほど大きいものは要求されない。
そこで、定着回転体の温調制御では、定着ヒータ点灯制御を位相制御（ヒータ点灯位相角の制御）により行い、それによりヒータ消費電力を低減させることが提案され、実用化されてきている。
【０００６】
ところが、定着ヒータ点灯制御を位相制御により行うと、ヒータ制御回路に流れる電流について力率が低下する。そして、画像形成装置は通常、定着ヒータ以外にも電力供給が要求される部分があり、そのような部分のうち１又は２以上へ所定電力を供給するための電源部（ＡＣ／ＤＣコンバータ）が設けられており、その電源部（ＡＣ／ＤＣコンバータ）は前記定着ヒータへ電力供給する交流電源と同じ電源（一般的には電源コンセント）から電力供給を受けるようになっていることが多い。
【０００７】
そのような場合、ヒータ制御回路に流れる電流について力率が低下する結果、電源コンセント及び電源コードに流れる電流が増大してしまう。そうなると、ブレーカが落ちたり、電源コードが発熱するという事態が発生する。
【０００８】
この点、特開平１１−１７８２０９号公報には、電源部への入力電流とヒータへの入力電流の合成電流を変流器で検出し、該検出される合成電流を電圧位相と同相の正弦波化することで、ヒータ位相制御時の力率を改善することが記載されている。
【０００９】
【特許文献１】特開平１１−１７８２０９号公報
【発明の開示】
【発明が解決しようとする課題】
【００１０】
しかし電源部電流とヒータ電流との合成電流を電圧位相と同相の正弦波とするヒータ位相制御時の力率改善方法では、合成入力交流電流検出のための変流器が必要であり、且つ、電源部への入力電流波形がトライアック等のスイッチング素子によるオン／オフにより不連続となるので力率制御が不安定となる。
【００１１】
そこで本発明は、トナー像を形成して記録媒体に転写し、該記録媒体を定着ヒータにて加熱される定着回転体と該定着回転体に対向する加圧回転体との間に通過させることで該トナー像を該記録媒体に加熱加圧下に定着させることができる画像形成装置にして、交流電源（例えば交流電源コンセント）から電力供給を受け、前記定着ヒータのオンオフ制御により前記定着回転体の温度を前記トナー像定着に適する温度へ向け温度調整するヒータ制御部と、同じ交流電源から電力供給を受け、前記定着ヒータを除く電力供給対象部分の１又は２以上へ所定電力を供給するための電源部とを備えており、該ヒータ制御部は、前記定着ヒータのオン制御を位相角制御で行う制御部である画像形成装置において、該ヒータ制御部による定着ヒータの位相角点灯制御に拘らず該電源部への入力電流の増大を容易に抑制できる画像形成装置を提供することを課題とする。
【課題を解決するための手段】
【００１２】
本発明は前記課題を解決するため、次の画像形成装置を提供する。すなわち、
トナー像を形成して記録媒体に転写し、該記録媒体を定着ヒータにて加熱される定着回転体と該定着回転体に対向する加圧回転体との間に通過させることで該トナー像を該記録媒体に加熱加圧下に定着させることができる画像形成装置であり、
交流電源から電力供給を受け、前記定着ヒータのオンオフ制御により前記定着回転体の温度を前記トナー像定着に適する温度へ向け温度調整するヒータ制御部と、
前記交流電源から電力供給を受け、前記定着ヒータを除く電力供給対象部分の１又は２以上へ所定電力を供給するための電源部とを備えており、
前記ヒータ制御部は、前記定着ヒータのオン制御を位相角制御で行う制御部であり、
前記電源部はアクティブフィルタ回路を含んでおり、
前記アクティブフィルタ回路は、前記ヒータ制御部による前記定着ヒータの位相制御角に基づいて該電源部への入力電流についての力率（換言すれば、アクティブフィルタ回路での位相角）を、該電源部への入力電流を抑制する方向に補正する回路である画像形成装置である。
【００１３】
本発明に係る画像形成装置によると、前記電源部にアクティブフィルタ回路を含め、該アクティブフィルタ回路は、前記ヒータ制御部による前記定着ヒータの位相制御角に基づいて該電源部への入力電流についての力率を、該電源部への入力電流を抑制する方向に補正する回路としたから、該ヒータ制御部による定着ヒータの位相角点灯制御に拘らず該電源部への入力電流の増大を容易に抑制できる。
【００１４】
前記アクティブフィルタ回路は、代表例として、前記ヒータ制御部による前記定着ヒータの位相制御角に基づいて前記電源部への入力電流についての力率を、該定着ヒータへの入力電流と該電源部への入力電流との合成入力電流についての力率が１（１００％）となるように補正するもの（力率が丁度１になるように補正するもののほか、力率が実質上１となるとみることができるように補正するものも含む）を挙げることができる。
【００１５】
前記アクティブフィルタ回路による前記ヒータ制御部による前記定着ヒータの位相制御角の検出或いは把握に関して言えば、例えば、該アクティブフィルタ回路は、
(1) 前記ヒータ制御部による前記定着ヒータの位相制御角を前記電源部への入力電圧と該電源部からの出力電圧とに基づいて把握し、該電源部への入力電圧と該電源部からの出力電圧とに基づいて該電源部への入力電流についての力率を、該電源部への入力電流を抑制する方向に補正するものでもよいし、
(2) 前記ヒータ制御部による前記定着ヒータの位相制御角を前記電源部への入力電圧と入力電流とに基づいて把握し、該電源部への入力電圧と入力電流とに基づいて該電源部への入力電流についての力率を、該電源部への入力電流を抑制する方向に補正するものでもよいし、
(3) これらを組み合わせたものでもよい。
【発明の効果】
【００１６】
以上説明したように本発明によると、トナー像を形成して記録媒体に転写し、該記録媒体を定着ヒータにて加熱される定着回転体と該定着回転体に対向する加圧回転体との間に通過させることで該トナー像を該記録媒体に加熱加圧下に定着させることができる画像形成装置にして、交流電源（例えば交流電源コンセント）から電力供給を受け、前記定着ヒータのオンオフ制御により前記定着回転体の温度を前記トナー像定着に適する温度へ向け温度調整するヒータ制御部と、同じ交流電源から電力供給を受け、前記定着ヒータを除く電力供給対象部分の１又は２以上へ所定電力を供給するための電源部とを備えており、該ヒータ制御部は、前記定着ヒータのオン制御を位相角制御で行う制御部である画像形成装置において、該ヒータ制御部による定着ヒータの位相角点灯制御に拘らず該電源部への入力電流の増大を容易に抑制できる画像形成装置を提供することを課題とする。
【発明を実施するための最良の形態】
【００１７】
本発明の実施形態について図面を参照して説明する。
図１は本発明に係る画像形成装置例の正面図である。
図１に示す画像形成装置は、画像読取装置Ｓを備えた複写機であるが、ファクシミリ機の機能及びコンピュータ等から供給される画像情報に応じてプリントするプリンタ機能も併せ持つ。
【００１８】
図１の画像形成装置Ａは、画像形成部Ｂ及びその下の記録媒体収容カセットＣ１〜Ｃ４を有する部分ＣＳを含んでいる。画像読取装置Ｓは画像形成部Ｂの上方に位置している。画像読取装置Ｓには原稿自動搬送装置ＡＤＦ及び操作パネルＰＡが搭載されている。
【００１９】
搬送装置ＡＤＦは開閉可能で、画像読取装置Ｓの原稿載置台であるガラス板ｇ１上に配置される原稿を覆うカバーを兼ねている。
操作パネルＰＡには、複写画像形成やファクシミリ送信等の指示を行うスタートキー、画像形成枚数等を設定するテンキー等のキー群Ｋｅ等のほか、液晶表示部１８及びスピーカ１９も搭載されている。液晶表示部１８は、ユーザによるキー操作を反映表示したり、ユーザへの指示メニューを表示したり、画像形成部Ｂ等からの情報を表示する等に用いられる。
【００２０】
画像読取装置Ｓは原稿台ガラスｇ１上に静止配置される原稿の画像を光学的に読み取ることができるほか、原稿自動搬送装置ＡＤＦにてその原稿載置トレイａ１から搬送され、原稿排出トレイａ２へ排出され、その途中で画像読取装置Ｓの原稿流し撮り用ガラス板ｇ２に沿って移動する原稿の画像を光学的に読み取ることもできる。
【００２１】
画像読取装置Ｓで読み取られた画像のデータは画像形成部Ｂへ送られ、そこでの画像形成に供されるか、或いはフアクシミリ送信に供される。図示省略のコンピュータ等から送信されてくる画像データは画像形成部Ｂへ送られ、そこでの画像形成に供される。
【００２２】
画像形成部Ｂは電子写真方式により記録媒体上にトナー画像を形成するものである。本例の画像形成部Ｂは、イエロー画像形成ユニットＹ、マゼンタ画像形成ユニットＭ、シアン画像形成ユニットＣ及びブラック画像形成ユニットＫを中間転写ベルトｂに沿って配列し、各画像形成ユニットにより形成されるトナー像を中間転写ベルトｂに１次転写し、ベルトｂ上に重ねて１次転写された多重トナー像をいずれかのカセットから供給される記録媒体（記録紙等）Ｐに２次転写し、定着装置Ｆで定着させてカラー画像を得ることができるタンデム型カラー画像形成部である。
【００２３】
画像形成部Ｂはモノクロ画像を形成することもできるし、いずれか二つ又は三つの画像形成ユニットを用いて画像形成することもできる。
画像形成部Ｂは他のタイプのカラー画像形成部でもよいし、モノクロ画像形成部でもよい。
【００２４】
定着装置Ｆは、定着ヒータとしてハロゲンランプヒータ３を内蔵した定着ローラ（加熱ローラ）ｆ１と、これに対向する加圧ローラｆ２とを有し、定着ローラｆ１はハロゲンランプヒータ３の点灯によりトナー像定着温度へ向け加熱される。定着ローラｆ１の温度は温度検出器（本例ではサーミスタ）２で検出される。定着ローラｆ１の温調制御については後述する。
【００２５】
画像形成部Ｂでトナー像が２次転写された記録媒体Ｐは定着ローラｆ１と加圧ローラｆ２の間に通されることでトナー像が加熱加圧下に定着され、その後排出ローラＲで排出トレイＴ上に排出される。
【００２６】
図２は図１の画像形成装置の制御回路の一部、特にハロゲンランプヒータ３の点灯消灯に関係するヒータ制御部４及びハロゲンランプヒータ３以外の電力供給が要求される画像形成装置部分への電力供給のための電源部５（図２中、略ヒータ制御部以外の部分）を主に示す図である。
【００２７】
図２の制御回路は画像形成装置全体を制御する制御部Ｃｏｎｔを含んでいる。
制御部Ｃｏｎｔは、ＣＰＵ（中央演算処理装置）（図示省略）、プログラム等を記憶させたＲＯＭ及びＣＰＵとデータのやりとりを行うＲＡＭを含むメモリ（図示省略）、外部機器等とＣＰＵとを仲介する入出力インターフエース（図示省略）等を含んでいる。
【００２８】
図２の制御回路によると、交流電源（ＡＣ電源）（例えば交流電源コンセント）１から供給される交流電力をハロゲンランプヒータ３へ供給できるようになっている。ランプヒータ３が点灯すると定着ローラｆ１は昇温するが、定着ローラｆ１の温度が温度検知用のサーミスタ２で検出され、その検出温度情報が制御部Ｃｏｎｔへ入力される。制御部Ｃｏｎｔは、定着ローラｆ１の温度が設定した一定温度（トナー像を記録媒体へ定着させるための温度）となるように、該検出温度情報に基づいて回路中のトライアックＴＲをオンオフさせ、定着ローラｆ１の温調制御を行える。これらヒータ３に係るサーミスタ２、トライアックＴＲ、制御部Ｃｏｎｔにおけるヒータオンオフ制御に関係する部分はヒータ制御部４を構成している。
【００２９】
図２の回路についてさらに説明する。
図２において電源部５は、交流電源１から印加される交流電圧Ｖａｃを整流ダイオードＤ１〜Ｄ４にて全波整流したものを、リアクトルＬ１、ダイオードＤ５、ＭＯＳ形電界効果トランジスタＱ１及びコンデンサＣ１からなる回路部分を含むアクティブフィルタ回路５１を介して昇圧する。
【００３０】
さらにこの直流電圧をトランスＴ１、ＭＯＳ形電界効果トランジスタＱ２、コンデンサＣ２及びダイオードＤ６を含むＤＣ−ＤＣコンバータから安定化された電圧（２４Ｖ）として出力する。コンバータからの出力はヒータ３以外の画像形成装置Ａにおける電力供給が要求される１又は２以上の部分の駆動に供される。
【００３１】
ヒータ制御部４は、交流電源１をトライアックＴＲを介してハロゲンランプヒータ３に接続したもので、トライアックＴＲは、サーミスタ２からの検出温度情報に基づく制御部Ｃｏｎｔからの信号ＴＲｏｎ＊により任意の位相制御角による位相制御にてヒータ３を点灯制御し、それにより定着ローラｆ１の温度をトナー像の記録媒体Ｓへの定着に適する温度へ向け制御する。
【００３２】
なお、制御部Ｃｏｎｔは電源部５（アクティブフィルタ回路５１）の一部も構成している。交流電源１はヒータ制御部４及び電源部５のアクティブフィルタ回路５１に対し共通のものである。
【００３３】
アクティブフィルタ回路５１は、ヒータ制御部４によるヒータ３の位相制御角に基づいて電源部５への入力電流についての力率、換言すれば位相角を、該電源部５への入力電流を抑制する方向に補正（位相を進める補正）する回路である。
これについてさらに説明する。
【００３４】
ダイオードＤ１〜Ｄ４にて整流された交流電圧を抵抗Ｒ１、Ｒ２で分圧して得られる交流電圧位相信号Ｖacphを制御部Ｃｏｎｔのアナログポートに入力する。
このとき、ヒータ３の位相制御を行うことにより力率が図３のように変化することが知られている。
【００３５】
このため、ヒータ３への入力電流は電源１からのＡＣ入力電圧に対して位相制御角によりφ１だけ遅れることとなりヒータ３への有効電流は減少し、無効電流が増えることとなる。このとき、電源部５のみの力率を改善してもヒータ３電流と電源部５電流との合成電流は増大してしまう。
【００３６】
そこで本例では、ヒータ３の位相制御角とヒータ電流により、合成電流Ｉｓｕｍの力率が１になるように、電源部５の入力力率を次のように変化させる。
図４に示すように、φ１遅れたヒータ電流の力率を相殺するために、電源部入力電流の力率を位相角φ２だけ進めてやることにより、合成電流Ｉｓｕｍの位相をＡＣ電源１からの入力電流と一致させることにより合成入力力率を１とさせる。
【００３７】
これは、ヒータ入力電流Ｉｈ、ヒータ３についての位相遅れφ１と電源部５への入力電流Ｉｐｓ、電源部５における進相φ２とにより下記関係式が成り立つように電源部５での力率ｃｏｓφ２を設定することにより実現できる。
【００３８】
Ｉｈ×ｓｉｎφ１＝Ｉｐｓ×ｓｉｎφ２
ｓｉｎφ２＝（Ｉｈ／Ｉｐｓ）×ｓｉｎφ１
力率ｃｏｓφ２＝√（１−ｓｉｎ2 φ２）
＝√〔1 −（Ｉｈ／Ｉｐｓ）2 ×ｓｉｎ2 φ１〕
【００３９】
ここで電源部５の入力有効電流をＩpsact とすると、
Ｉｐｓ＝Ｉpsact ／ｃｏｓφ２なので
Ｉｐｓ＝√〔１−（Ｉｈ×ｃｏｓφ２／Ｉpsact ）2 ×ｓｉｎ2 φ１〕となる。
【００４０】
また、電源部入力電流は、電源部５の負荷状況により推定できる。
これは、電源部５の出力電力をＷｏ、入力電圧をＶｉｎ、電源部効率をηとすると
電源部入力有効電流Ｉpsact は
Ｉpsact ＝Ｗｏ／η／Ｖｉｎとなることから負荷電力、入力電圧、電源部効率は既知なので、これからφ２は計算できる。
【００４１】
このように位相制御角により、合成電流の力率が１となるように上記計算により算出したφ２だけ、交流電圧位相信号Ｖacphにより検知した位相から進ませた交流電流波形Ｖａｃ＊を制御部Ｃｏｎｔから出力させる。
【００４２】
また、アクティブフィルタ回路５１からの出力直流電圧を抵抗Ｒ４、Ｒ５にて分圧して得られる信号Ｖdcfbを直流電圧指令Ｖｄｃ＊と比較しその差をエラーアンプＡ１にて増幅したものを、前記交流電流波形Ｖａｃ＊と乗算器ＭＵＬにて掛け合せ重み付けしたものを直流電流指令Idc ＊とする。
【００４３】
このIdc ＊と直流電流検出抵抗Ｒ３により検出した電流Ｉdcfbとの差をエラーアンプＡ２にて増幅した出力ＩdcaoをＰＷＭ（パルス幅変調）のキャリア周波数となる三角波発振器ＯＳＣ１からの出力とをコンパレータ（比較器）ＣＭＰ１にて比較した出力Ｑ１ｏｎ＊にてアクティブフィルタ回路５１のＭＯＳ形電界効果トランジスタＱ１のゲート信号としてトランジスタＱ１ををオンオフし、コンデンサＣ１の電圧を昇圧しながら、入力電流を所望位相進みを持った正弦波とさせる。
【００４４】
このときの入力電圧と電源部入力電流波形を図５に示す。
これらにより、ヒータ３と電源部５の合成入力電流の力率が１となり合成入力電流の最小化が可能となる。
【００４５】
このように、画像形成装置Ａでは、アクティブフィルタ回路５１の力率を変更補正することにより、入力電流も連続の正弦波となり安定した制御を行うことが可能となり、入力力率を改善した画像形成装置となっている。
そして、ヒータ位相制御角により電源部５のアクティブフィルタ回路５１の力率を補正するという構成でありながら、合成入力電流を減らし、配線材の定格ダウン及び配線による電圧降下の低減が可能となっている。
【００４６】
以上説明した画像形成装置Ａはタンデム型のカラー画像形成装置であったが、本発明は他のタイプのカラー画像形成装置（例えば、所謂４サイクル型カラー画像形成装置）やモノクロ画像形成装置にも適用できる。
【産業上の利用可能性】
【００４７】
本発明はトナー像を形成して記録媒体に転写し、該記録媒体を定着ヒータにて加熱される定着回転体と該定着回転体に対向する加圧回転体との間に通過させることで該トナー像を該記録媒体に加熱加圧下に定着させる画像形成装置、特に、定着ヒータの点灯制御を位相角制御による位相制御で行う画像形成装置であって、ヒータ制御部による定着ヒータの位相角点灯制御に拘らず電源部への入力電流の増大を容易に抑制できる画像形成装置を提供することに利用できる。
【図面の簡単な説明】
【００４８】
【図１】本発明に係る画像装置例を示す図である。
【図２】図１の画像形成装置の制御回路の一部を示す図である。
【図３】ヒータの位相制御により力率が変化する様子を示す図である。
【図４】位相遅れしたヒータ電流の力率を相殺するために、電源部入力電流の力率を進相により補正することで、合成電流位相を交流電源からの入力電流と一致させて合成入力力率を１とする様子を示す図である。
【図５】入力電圧と電源部入力電流波形を示す図である。
【符号の説明】
【００４９】
Ａ  画像形成装置
Ｓ  画像読取装置
ｇ１、ｇ２  ガラス板
Ｃ１〜Ｃ４  記録媒体収容カセット
ＣＳ  カセットのある部分
ＡＤＦ  原稿自動搬送装置
ａ１  原稿載置トレイ
ａ２  原稿排出トレイ
ＰＡ  操作パネル
Ｋｅ  キー群
Ｂ  画像形成部
Ｙ  イエロー画像形成ユニット
Ｍ  マゼンタ画像形成ユニット
Ｃ  シアン画像形成ユニット
Ｋ  ブラック画像形成ユニット
ｂ  中間転写ベルト
Ｆ  定着装置
ｆ１  定着ローラ（加熱ローラ）
ｆ２  加圧ローラ
Ｒ  排出ローラ
Ｔ  排出トレイ
Ｐ  記録媒体
１  交流電源
２  サーミスタ
３  ハロゲンランプヒータ                                                        ４  ヒータ制御部
５  電源部
５１  アクティブフィルタ回路
Ｃｏｎｔ  制御部
ＴＲ  トライアック
Ｄ１〜Ｄ６  ダイオード
Ｒ１〜Ｒ５  抵抗
Ｌ１  リアクトル
Ｃ１、Ｃ２  コンデンサ
Ｑ１、Ｑ２  ＭＯＳ形電界効果トランジスタ
Ｔ１  トランス
Ａ１、Ａ２  増幅器（アンプ）
ＭＵＬ  乗算器
ＣＭＰ１  比較器
【図１】
2008299078.tif 000003
【図２】
2008299078.tif 000004
【図３】
2008299078.tif 000005
【図４】
2008299078.tif 000006
【図５】
2008299078.tif 000007